(57)【要約】【課題】顧客の望む恐怖度に合わせた恐怖演出を行うことができるお化け屋敷を提供することを目的とする。【解決手段】乗客に恐怖感を与えるための恐怖演出装置３を設置した複数の演出場所Ｓと、各演出場所Ｓを通過するように配設されたエンドレス軌道１と、エンドレス軌道１上を走行する複数台の乗物２と、を備えるお化け屋敷に於けるものである。そして、恐怖度を選択する操作部を備える。かつ、選択した恐怖度に応じて異なる信号を発信する送信部５を乗物２に設けている。さらに、各演出場所Ｓに、送信部５からの信号を受信する受信部Ａと、受信部Ａで受けた信号に対応して恐怖演出装置３を制御する制御部７と、を具備するものである。【選択図】図５
2008086545.tif 000002
【特許請求の範囲】
【請求項１】
乗客に恐怖感を与えるための恐怖演出装置（３）を設置した複数の演出場所（Ｓ）と、各演出場所（Ｓ）を通過するように配設されたエンドレス軌道（１）と、該エンドレス軌道（１）上を走行する複数台の乗物（２）と、を備えるお化け屋敷に於て、
恐怖度を選択する操作部（４）を備え、選択した恐怖度に応じて異なる信号を発信する送信部（５）を上記乗物（２）に設け、上記各演出場所（Ｓ）に、上記送信部（５）からの信号を受信する受信部（Ａ）と、該受信部（Ａ）で受けた上記信号に対応して上記恐怖演出装置（３）を制御する制御部（７）と、を具備したことを特徴とするお化け屋敷。
【請求項２】
上記各乗物（２）は降車位置付近に配置された初期化マーカ（８）を検知して上記送信部（５）を上記信号を送信しない初期状態に戻すリセット部（９）を具備する請求項１記載のお化け屋敷。
【請求項３】
上記操作部（４）にて選択した恐怖度ごとに異なる色で発光する恐怖度表示ランプ（６）を上記乗物（２）の外部から視認可能に付設した請求項１又は２記載のお化け屋敷。
【発明の詳細な説明】
【技術分野】
【０００１】
本発明は、遊園地やテーマパーク等に設置されるお化け屋敷に関する。
【背景技術】
【０００２】
遊園地やテーマパーク等に恐怖感を与えるための様々な仕掛けが設置されたお化け屋敷がある。従来のお化け屋敷には、顧客が様々な仕掛けの間を通過するように敷設された軌道上を走行する乗物に乗り、乗物が接近したときに仕掛けを動かして恐怖感を与えるようになっているものがある（例えば、特許文献１参照）。
【特許文献１】特開平６−１２１８８１号公報
【発明の開示】
【発明が解決しようとする課題】
【０００３】
しかし、従来のお化け屋敷は、一通りの恐怖演出を行うだけであった。これに対し、顧客が好む恐怖度のレベルは様々であるので、従来のお化け屋敷では恐怖度のレベルの異なる多くの顧客を満足させることは難しかった。
また、一度体験するとどのような仕掛けがあるかわかってしまい、顧客の再入場を期待することはできなかった。
【０００４】
そこで、本発明は、顧客の望む恐怖度に合わせた恐怖演出を行うことができるお化け屋敷を提供することを目的とする。
【課題を解決するための手段】
【０００５】
上記目的を達成するために、本発明に係るお化け屋敷は、乗客に恐怖感を与えるための恐怖演出装置を設置した複数の演出場所と、各演出場所を通過するように配設されたエンドレス軌道と、該エンドレス軌道上を走行する複数台の乗物と、を備えるお化け屋敷に於て、恐怖度を選択する操作部を備え、選択した恐怖度に応じて異なる信号を発信する送信部を上記乗物に設け、上記各演出場所に、上記送信部からの信号を受信する受信部と、該受信部で受けた上記信号に対応して上記恐怖演出装置を制御する制御部と、を具備するものである。
【０００６】
また、上記各乗物は降車位置付近に配置された初期化マーカを検知して上記送信部を上記信号を送信しない初期状態に戻すリセット部を具備するものである。
また、上記操作部にて選択した恐怖度ごとに異なる色で発光する恐怖度表示ランプを上記乗物の外部から視認可能に付設してもよい。
【発明の効果】
【０００７】
本発明は、次のような著大な効果を奏する。
本発明に係るお化け屋敷によれば、乗客が望む恐怖度のレベルに合わせて異なる恐怖演出を行うことができる。そして、恐怖度のレベル（好み）の異なる多くの乗客を満足させることができるので、集客量の増加を期待することができる。
また、恐怖度ごとに異なる演出を行うことができるので、言い換えれば、複数通りの異なる演出を行うことができるので、一度演出を体験した乗客であっても、別の演出を体験してみたいという興味がそそられ、再入場者の増加を図ることができる。
【発明を実施するための最良の形態】
【０００８】
以下、実施の形態を示す図面に基づき本発明を詳説する。
図１は本発明に係るお化け屋敷の全体の概略平面図であり、お化け屋敷屋内には異なる恐怖演出が行われる複数の演出場所Ｓが配設され、各演出場所Ｓを通過するように（環状の）エンドレス軌道１が敷設されている。２はエンドレス軌道１上を走行する複数台の乗物であり、各乗物２が前後所定間隔をあけて走行するようになっている。また、Ｐは乗客が乗物２に乗り降りするプラットホームである。
【０００９】
この場合、演出場所Ｓは全部で11箇所（Ｓ1 、Ｓ2 、…Ｓ11）あり、プラットホームＰから（乗物２の）進行方向へ向かって第１演出場所Ｓ1 、第２演出場所Ｓ2 、…第11演出場所Ｓ11と順次配設されている。
各演出場所Ｓ（Ｓ1 、Ｓ2 、…Ｓ11）には、動く幽霊の人形・吹き付ける風・雷鳴等の乗客に恐怖感を与えるための演出を行う多数の恐怖演出装置３が設置され、恐怖演出装置３は、機械式の仕掛け、音響機器、照明機器、映像表示機器等若しくはこれらの組合せから構成されている。
【００１０】
図２と図３は乗物２の側面図であり、詳しくは、図２は乗物２を軌道１の外側（プラットホームＰ側）から見た右側面図、図３は乗物２を軌道１の内側から見た左側面図である。また、図２と図３に於て、矢印は乗物２の進行方向を示す。
図２に示すように、内部に乗客室を有する箱型の乗物２は、複数個の車輪18を有する台車部17と、台車部17の上に設けられた搭乗部19と、を有し、搭乗部19の右外壁部19ａに手動又は自動で開閉する扉10，10を有している。また、各乗物２の右外壁部19ａの外面中央部には、上記演出場所Ｓの恐怖演出の恐怖度を選択するための操作部（操作パネル）４が付設されている。操作部４は、図４に示すように、例えば、恐怖度を強・中・弱と３段階設定した場合、各恐怖度ごとの３個の押しボタン式入力部11が設けられている。そして、入力部11のうちのひとつを選択する（押す）と、選択した入力部11に対応するランプ部21が点灯するようになっている。操作部４に設けられるランプ部21は、入力部11の個数より１個多く設けられ、その１個のランプ部21ａは、入力部11を押さない（恐怖度を選択しない）場合、言い換えれば、乗客がいない（無人の）場合に点灯するようになっている。
【００１１】
次に、図３に於て、各搭乗部19の左外壁部19ｂの前下方には、操作部４で選択した恐怖度に応じて異なる信号を発信する送信部５が付設されている。また、送信部５の近傍には、操作部４にて選択した恐怖度ごとに異なる色で発光する恐怖度表示ランプ６を付設し、かつ、恐怖度表示ランプ６は乗物２の外部から視認可能に付設されている。具体的には、恐怖度表示ランプ６は、選択する恐怖度の強・中・弱に対応して、赤・橙・緑に点灯するようになっており、恐怖度を選択しなかった場合或いは乗客がいない（無人の）場合は、青色に点灯するようになっている。なお、図７のブロック図に示すように、各乗物２には指示部20が設けられており、操作部４から指示部20を介して、送信部５、及び、恐怖度表示ランプ６、並びに、操作部４に設けられたランプ部21へ、送信指示及び点灯指示をするようになっている。
【００１２】
図１に示すように、各演出場所Ｓに、乗物２の送信部５からの信号を受信する受信部Ａが設置され、即ち、11箇所の演出場所Ｓ1 、Ｓ2 、…Ｓ11に対応して、受信部ＡはＡ1 、Ａ2 、…Ａ11の11個設けられている。また、全ての受信部Ａ1 、Ａ2 、…Ａ11は、走行中の乗物２の送信部５が（受信部Ａに）対面（好ましくは接近）することができるように軌道１の内側に配置されている。
【００１３】
また、図１の要部を示す図５に於て、各演出場所Ｓごとに、受信部Ａで受けた信号に対応して恐怖演出装置３を制御する制御部７が設置されている。つまり、制御部７も演出場所Ｓ1 、Ｓ2 、…Ｓ11に１個ずつ、合計11個設けられている。
【００１４】
上記送信部５と受信部Ａは光学式又は電磁式等の非接触型の送信機と受信機であり、具体的には、送信部５は特性が異なる複数の赤外線を照射可能な赤外線照射装置であり、受信部Ａはその複数種類の赤外線に応じ互いに異なる検知信号を出力可能な赤外線センサである。この場合、送信部５は３種類の恐怖度ごとに異なる３種類の赤外線を照射可能となっている。また、制御部７は、受信部Ａが出力する互いに異なる検知信号を識別すると共に識別結果に応じて恐怖演出装置３へ信号を出力する（作動指示をする）又は出力しない（作動指示をしない）ように構成されている。
【００１５】
制御部７による恐怖演出装置３の制御の仕方は、設計変更自由であり、選択した恐怖度（受信部Ａから受けた検知信号）に応じて、恐怖演出装置３に異なる動きをさせてもよく、恐怖度に応じて恐怖演出装置３を作動又は静止する二者択一の制御方法であってもよい。
【００１６】
例えば、図５に於て、飛び出す幽霊の演出を行う恐怖演出装置３ａと、棺桶がガタガタ揺れる演出を行う恐怖演出装置３ｂとの、２個の恐怖演出装置３ａ，３ｂを制御するものである場合、恐怖度「強」と「中」では恐怖演出装置（幽霊）３ａのみを作動させ、恐怖度「弱」では恐怖演出装置（棺桶）３ｂのみを作動させるように設定してもよい。
また、恐怖度「中」よりも「強」のときに、恐怖演出装置（幽霊）３ａを乗客に接近させるように制御しても自由である。
【００１７】
図６は、図１の降車位置（プラットホームＰ）付近を示す平面図であり、降車位置付近には初期化マーカ８が設置され、各乗物２の搭乗部19の右外壁部19ａの前下方には、初期化マーカ８を検知したとき（図７に示す指示部20を介して）送信部５を信号の送信しない初期状態に（自動的に）戻すリセット部９が設けられている（図２参照）。また、リセット部９は初期化マーカ８を検知した場合、（指示部20を介して）選択した入力部11に対応するランプ部21の点灯を消し無人状態を示すランプ部21ａを点灯するように指示を送り、さらに、（指示部20を介して）恐怖度表示ランプ６を恐怖度を表示する色（赤・橙・緑）から初期状態（無人状態）を示す色（青）に点灯させる指示を送るように構成されている。
【００１８】
具体的には、リセット部９は投光部12と受光部13とを有する反射型光電センサ、初期化マーカ８は反射板であり、投光部12から照射されたビームが反射板８で反射され、その反射光を受光部13に入射することで反射板８を検知するものである。また、図示省略するが、初期化マーカ８が軌道１上に固設された固定接触子であり、リセット部９がその固定接触子と接触して検知可能なリミットスイッチであってもよい。
【００１９】
また、図２と図３に示すように、乗物２の搭乗部19の前後左右壁部（及び扉10）の上半部と、天井壁部は、枠体14の内方にメッシュ状シート部15を有する防護パネル16にて形成されている。即ち、メッシュ状シート部15を有する防護パネル16にて乗客室（搭乗部19）を形成することにより、乗客室内の乗客が外部を視認することができると共に、恐怖感を増長させる演出をするために機械式の人形等を乗物２に接近させても安全である。なお、図２に示すように、扉10は、上記メッシュ状シート部15を有する大サイズの上部と、格子状の小サイズの下部と、が一体状となって開閉するものである。
【００２０】
なお、恐怖度のレベルを決めるのは乗客であるが、上述の実施例では、操作部４は搭乗部19の外面に付設されており（図２参照）、操作部４は乗客の選んだ恐怖度を聴いた係員が操作するようになっている。これ以外に、恐怖度を選択する操作部４を乗客室内に設け、乗客が自ら操作するようにしてもよい。また、この場合は、一旦決めた恐怖度の設定を途中で変更できないようにロックする機能を有することが望ましい。
【００２１】
また、本発明は設計変更自由であり、お化け屋敷へ入場前の券売機に操作部４設け、その券売機で恐怖度情報が入力された電子タグを発券し、入場後電子タグの恐怖度情報を読取機等を介して乗物２の送信部５に入力するようにしても自由である。
また、入力部11は、押しボタン式以外に、液晶タッチパネル式であってもよく、これ以外のものであって構わない。選択可能な恐怖度は２段階以上あればよい。
また、送信部５から受信部Ａへは、接触型スイッチ等を介して選択した恐怖度の情報（信号）を送るようにしてもよく、受信部Ａから制御部７への信号の送信は無線式であっても有線式であっても構わない。
なお、このような乗客の好みによって違った演出ができる本発明の技術を、恐怖演出が行われるお化け屋敷に限らず、様々な演出が行われる演出型遊戯施設に適用しても自由である。
【００２２】
上述した本発明のお化け屋敷の使用方法（作用）について、図１、図５、図６、及び、図７のブロック図に基づいて説明する。
まず、乗客は乗車前に予め恐怖度を選び決めておく。複数人のグループである場合は、グループ全員で恐怖度をひとつ選択する。乗客は乗車時にプラットホームＰで係員に選択した恐怖度を告げ、乗物２に乗車する。そして、乗客が選んだ恐怖度に該当する操作部４の押しボタン（入力部）11を係員が押す（図４参照）。
【００２３】
図７に於て、乗客が選んだ恐怖度が「強」である場合について説明する。
最初、乗客が乗る前の乗物２は初期状態となっている。具体的には、無人状態を示す操作部４のランプ部21ａが点灯した状態であり、恐怖度表示ランプ６は無人状態を示す青色に点灯している。また、送信部５も信号を送信しない初期状態である。
上述したように乗客の選んだ恐怖度を聴いた係員が、操作部４の「強」の押しボタン（入力部）11を押すと、指示部20を介して、操作部４のランプ部21と、送信部５及び恐怖度表示ランプ６へ、信号が送られる。ランプ部21では、無人状態を示す操作部４のランプ部21ａが消え、押された押しボタン11に対応したランプ部21が点灯する。恐怖度表示ランプ６は、無人状態を示す青色から恐怖度「強」に対応する赤色に点灯し、送信部５は、恐怖度「強」に対応する信号を送信する。
【００２４】
乗物２がプラットホームＰを出て第１演出場所Ｓ1 に近づき、さらに、乗物２の送信部５が第１演出場所Ｓ1 に設置された受信部Ａ1 に接近したとき（図５参照）、送信部５から恐怖度「強」に対応した送信信号（赤外線）が受信部Ａ1 に送信される。恐怖度「強」の送信信号を受信した受信部Ａ1 は、恐怖度「強」の送信信号に対応する検知信号を制御部７へ出力する。そして、その検知信号を受けた制御部７は、選択した恐怖度が「強」であることを識別し、その恐怖度「強」に応じて恐怖演出装置３を制御する（作動乃至静止させる）。
【００２５】
制御部７による恐怖演出装置３の具体的制御の仕方を説明する。例えば、制御部７が、飛び出す幽霊の演出を行う恐怖演出装置３ａと、棺桶がガタガタ揺れる演出を行う恐怖演出装置３ｂとの、２個の恐怖演出装置３ａ，３ｂを制御管理するものであるとし（図５参照）、恐怖度「強」と「中」では恐怖演出装置（幽霊）３ａのみを作動させ、恐怖度「弱」では恐怖演出装置（棺桶）３ｂのみを作動させるように設定されている場合は、恐怖度「強」を識別した制御部７は恐怖演出装置（幽霊）３ａのみを作動させる。
【００２６】
そして、第１演出場所Ｓ1 を通過した乗物２は、第２演出場所Ｓ2 から第11演出場所Ｓ11へと順に進み（図１参照）、各演出場所Ｓ2 〜Ｓ11ごとに異なる演出が行われる。各演出場所Ｓ2 〜Ｓ11での恐怖演出装置３の制御方法は、上記第１演出場所Ｓ1 で説明したのと同様の方法であるので説明を省略する。
【００２７】
乗物２が全ての演出場所Ｓ1 〜Ｓ11を通過し、プラットホームＰ（降車位置）付近にある初期化マーカ８に接近したとき（図６参照）、乗物２のリセット部９が初期化マーカ８を検知し、リセット部９から指示部20を介して送信部５と操作部４とランプ６とに初期化信号が送られる。そして、初期化信号を受け取った送信部５は送信信号を送信しない初期状態に戻り、初期化信号を受けた操作部４の「強」の押しボタン11に対応するランプ部21の点灯が消え、代わりに無人状態を示すランプ部21ａが点灯する（初期状態となる）。また、初期化信号を受けたランプ６は赤色から初期状態───言い換えれば、無人状態───を示す青色に点灯する。その後、乗物２の扉10を開いて乗客がプラットホームＰに降りる。
【００２８】
また、乗物２に乗客が乗らない場合は、係員が操作部４の押しボタン11を押さず（恐怖度を選択せずに）、乗物２はそのまま走行しプラットホームＰから出て行く。つまり、無人状態を示す操作部４のランプ部21ａが点灯した状態で、送信部５は信号を送信しない初期状態のまま、かつ、恐怖度表示ランプ６は無人状態（初期状態）を示す青色に点灯したまま乗物２が走行する。
そして、乗物２が各演出場所Ｓ1 〜Ｓ11に来ても、送信部５から各受信部Ａ1 〜Ａ11に信号が送信されないので、制御部７は恐怖演出装置３を作動させない。なお、その後、リセット部９が初期化マーカ８を検知しても、送信部５・操作部４・ランプ６は初期状態のままである。
【００２９】
以上のように、本発明のお化け屋敷は、乗客に恐怖感を与えるための恐怖演出装置３を設置した複数の演出場所Ｓと、各演出場所Ｓを通過するように配設されたエンドレス軌道１と、エンドレス軌道１上を走行する複数台の乗物２と、を備えるお化け屋敷に於て、恐怖度を選択する操作部４を備え、選択した恐怖度に応じて異なる信号を発信する送信部５を乗物２に設け、各演出場所Ｓに、送信部５からの信号を受信する受信部Ａと、受信部Ａで受けた信号に対応して恐怖演出装置３を制御する制御部７と、を具備したので、乗客が望む恐怖度のレベルに合わせて異なる恐怖演出を行うことができる。そして、恐怖度のレベル（好み）の異なる多くの乗客を満足させることができるので、集客量の増加を期待することができる。
また、恐怖度ごとに異なる演出を行うことができるので、言い換えれば、複数通りの異なる演出を行うことができるので、一度演出を体験した乗客であっても、別の演出を体験してみたいという興味がそそられ、再入場者の増加を図ることができる。
【００３０】
また、各乗物２は降車位置付近に配置された初期化マーカ８を検知して送信部５を信号を送信しない初期状態に戻すリセット部９を具備するので、即ち、次の乗客が乗車する前に送信部５は一旦初期状態にされるので、次の乗客又は係員は操作部４にて恐怖度を選択するだけでよく、簡単かつ楽に操作することができる。
また、乗物２が（乗客の乗らない）無人の場合は、送信部５は信号を送信しない初期状態となっているので、走行中に（受信部Ａ及び制御部７を介して）恐怖演出装置３に作動の指示を与えることがない。これにより、恐怖演出装置３を無駄に動かさずに装置寿命を延ばすことができると共に、恐怖演出装置３の作動にかかるコストを軽減することができる。
【００３１】
また、操作部４にて選択した恐怖度ごとに異なる色で発光する恐怖度表示ランプ６を乗物２の外部から視認可能に付設したので、恐怖演出の一部に人（自然人）による演技を行う場合、その演技者は、次に通過する乗物２の乗客がどの恐怖度を選択しているかを（予め）視認（確認）することができ、乗客の恐怖度に合わせた演技をすることが可能となる。
【図面の簡単な説明】
【００３２】
【図１】本発明の全体の概略平面図である。
【図２】乗物の右側面図である。
【図３】乗物の左側面図である。
【図４】操作部の正面図である。
【図５】本発明の要部平面図である。
【図６】要部平面図である。
【図７】ブロック図である。
【符号の説明】
【００３３】
１  エンドレス軌道
２  乗物
３  恐怖演出装置
４  操作部
５  送信部
６  恐怖度表示ランプ
７  制御部
８  初期化マーカ
９  リセット部
Ａ  受信部
Ｓ  演出場所
【図１】
2008086545.tif 000003
【図２】
2008086545.tif 000004
【図３】
2008086545.tif 000005
【図４】
2008086545.tif 000006
【図５】
2008086545.tif 000007
【図６】
2008086545.tif 000008
【図７】
2008086545.tif 000009